(57)【特許請求の範囲】
【請求項１】
開口を有する有底四角箱状をなすボックス本体の側壁の内面に、同ボックス本体に配線器具を取り付けるための取付ビスを保持可能なビス保持部が設けられた配線用ボックスにおいて、
前記ビス保持部は、保持部本体を備えるとともにボックス本体の開口側に位置する同保持部本体の基端部でボックス本体の側壁に回動可能に連結され、
前記保持部本体を前後方向に回動させて同保持部本体が、ボックス本体の開口側に臨むように側壁の内面に突出する位置と、ボックス本体の底壁側へ延びるように側壁に沿って配置されボックス本体に取り付けられる配線器具との接触を防止する位置との間で移動可能に形成されてなる配線用ボックス。
【請求項２】
前記ボックス本体の前方に設置された壁材の表側に当該ボックス本体の開口を臨ませるために、同開口の内周形状に沿った透孔を当該壁材に穿設すべく壁材切除手段により壁材を切除する際、前記壁材切除手段のボックス本体の側壁の内周面に沿った移動を可能とするため、前記ビス保持部は側壁の開口側端面から底壁側へ後退した位置に設けられている請求項１に記載の配線用ボックス。
【請求項３】
開口を有する有底四角箱状をなすボックス本体の側壁に、同ボックス本体に配線器具を取り付けるための取付ビスを保持可能なビス保持部が設けられた配線用ボックスにおいて、
前記ビス保持部は、保持部本体を備えるとともにボックス本体の開口側に位置する同保持部本体の基端部でボックス本体の側壁に回動可能に連結され、ボックス本体の前方に設置された壁材の表側に、当該ボックス本体の開口を臨ませるために同開口の内周形状に沿った透孔を当該壁材に穿設すべく壁材切除手段により壁材を切除する際、前記壁材切除手段のボックス本体の側壁の内周面に沿った移動を可能とするため、前記ビス保持部は、側壁の内面より同側壁の外面側へ後退した位置に設けられているとともに、取付ビスをビス保持部から取り外す際に、前記保持部本体を回動させてボックス本体の開口側に臨むように側壁の内面に突設され、配線器具をボックス本体に取り付ける際には、前記ビス保持部は配線器具との接触を防止するために前記保持部本体を回動させてボックス本体の底壁側へ延びるように側壁に沿って配置されてなる配線用ボックス。
【請求項４】
前記ビス保持部は、側壁外面側に取付ビスを保持可能に形成されている請求項３に記載の配線用ボックス。
【発明の詳細な説明】
【０００１】
【発明の属する技術分野】
この発明は、建築物内の壁材裏側に配置され、取付ビスにより配線器具を取付可能な配線用ボックスに関するものである。
【０００２】
【従来の技術】
従来より、建築物内の壁材表面にコンセント等の配線器具を取り付けるため、開口を有する有底四角箱状をなす配線用ボックスがその開口が壁材側へ臨む状態で同壁材の裏側に設置されている。この配線用ボックスは有底四角箱状のボックス本体を備え、そのボックス本体の底壁において、周壁の相対向する一対の側壁の内側位置には、それぞれ配線器具取付部が突設されている。各配線器具取付部の前記開口側端面には取付孔が形成されているとともに、内部には取付孔を通過した取付ビスの雄ねじが螺合可能な雌ねじ部が形成されている。
【０００３】
底壁には一定間隔をおいて３箇所に保持突片が並設され、隣接する保持突片間にはそれぞれ一本ずつ前記取付ビスの軸部が保持されて底壁面に沿って装着されている。そして、配線器具を配線用ボックスに取り付けるとき、取付ビスは保持突片間から取り外されて使用される。
【０００４】
ところが、上記構成の配線用ボックスにおいて、取付ビスをボックス本体内から取り出すには壁材に穿設された透孔から配線用ボックス内に手を挿入し、保持突片間に保持された一対の取付ビスをそれぞれ指で摘んで保持突片間から取り外さなければならない。
【０００５】
このとき、各取付ビスはそれぞれ底壁面に沿って保持突片間に保持されている。そのため、取付ビスを指で摘みにくく、さらには指で摘み損ねた取付ビスが配線用ボックスから壁材の裏側へ落下してしまうおそれがあるという問題があった。そこで、取付ビスの保持突片間からの取り外し作業を容易にするため、ボックス本体の開口側の側壁内面にビス保持部を突設することが考えられた。
【０００６】
【発明が解決しようとする課題】
ところが、ボックス本体の開口側に位置する周壁の内面からボックス本体内方へビス保持部を突設させた場合、配線器具をボックス本体の開口側から内部に収容すると、配線器具とビス保持部とが接触して配線器具をボックス本体内に収容する作業を行いにくくなるという問題があった。
【０００７】
この発明は、このような従来技術に存在する問題点に着目してなされたものである。その目的とするところは、配線器具のボックス本体の開口側から内部への収容及び取り付け作業の際の不具合をなくすことができる配線用ボックスを提供することにある。
【０００８】
【課題を解決するための手段】
上記の目的を達成するために、請求項１に記載の発明の配線用ボックスは、開口を有する有底四角箱状をなすボックス本体の側壁の内面に、同ボックス本体に配線器具を取り付けるための取付ビスを保持可能なビス保持部が設けられた配線用ボックスにおいて、前記ビス保持部は、保持部本体を備えるとともにボックス本体の開口側に位置する同保持部本体の基端部でボックス本体の側壁に回動可能に連結され、前記保持部本体を前後方向に回動させて同保持部本体が、ボックス本体の開口側に臨むように側壁の内面に突出する位置と、ボックス本体の底壁側へ延びるように側壁に沿って配置されボックス本体に取り付けられる配線器具との接触を防止する位置との間で移動可能に形成されてなるものである。
【０００９】
請求項２に記載の発明の配線用ボックスは、請求項１に記載の発明において、前記ボックス本体の前方に設置された壁材の表側に当該ボックス本体の開口を臨ませるために、同開口の内周形状に沿った透孔を当該壁材に穿設すべく壁材切除手段により壁材を切除する際、前記壁材切除手段のボックス本体の側壁の内周面に沿った移動を可能とするため、前記ビス保持部は側壁の開口側端面から底壁側へ後退した位置に設けられているものである。
【００１０】
請求項３に記載の発明の配線用ボックスは、開口を有する有底四角箱状をなすボックス本体の側壁に、同ボックス本体に配線器具を取り付けるための取付ビスを保持可能なビス保持部が設けられた配線用ボックスにおいて、前記ビス保持部は、保持部本体を備えるとともにボックス本体の開口側に位置する同保持部本体の基端部でボックス本体の側壁に回動可能に連結され、ボックス本体の前方に設置された壁材の表側に、当該ボックス本体の開口を臨ませるために同開口の内周形状に沿った透孔を当該壁材に穿設すべく壁材切除手段により壁材を切除する際、前記壁材切除手段のボックス本体の側壁の内周面に沿った移動を可能とするため、前記ビス保持部は、側壁の内面より同側壁の外面側へ後退した位置に設けられているとともに、取付ビスをビス保持部から取り外す際に、前記保持部本体を回動させてボックス本体の開口側に臨むように側壁の内面に突設され、配線器具をボックス本体に取り付ける際には、前記ビス保持部は配線器具との接触を防止するために前記保持部本体を回動させてボックス本体の底壁側へ延びるように側壁に沿って配置されてなるものである。
【００１１】
請求項４に記載の発明の配線用ボックスは、請求項３に記載の発明において、前記ビス保持部は、側壁外面側に取付ビスを保持可能に形成されているものである。
【００１６】
【発明の実施の形態】
以下、この発明の実施形態を、図面に基づいて詳細に説明する。
（第１実施形態）
図１に示すように、配線用ボックス１１は、開口を有する有底四角箱状をなす合成樹脂材料製のボックス本体１２を備え、そのボックス本体１２の周壁の内面にはビス保持部１３が設けられているものである。ビス保持部１３はボックス本体１２の内側に図示しない配線器具を取り付けるための２本の取付ビス１４を保持可能であり、同ビス保持部１３に保持された取付ビス１４をボックス本体１２の底壁１５より開口側に位置させるべく同開口側に臨んだ状態で設けられている。さらに、ボックス本体１２に取り付けられる前記配線器具とビス保持部１３との接触を防止すべくボックス本体１２から折り取り除去可能に設けられているものである。
【００１７】
まず、ボックス本体１２について説明すると、ボックス本体１２の底壁１５は正面縦長長方形状をなし、底壁１５の周縁には、その底壁１５の各辺に対応する側壁１６〜１９が底壁１５に対し略垂直に立設され、それら側壁１６〜１９によりボックス本体１２の周壁が形成されている。周壁内面において、ボックス本体１２の開口側縁部にはガイド面２０が周壁全周に亘って設けられている。
【００１８】
ボックス本体１２の上下両側壁１６，１７の両側部には、それぞれ配線貫通孔２２が形成され、その配線貫通孔２２により図４に示すように、ボックス本体１２内にケーブル２１を配線可能に形成されている。図２に示すように、底壁１５において、上下両側壁１６，１７の内側中央部には、それぞれ底壁１５からボックス本体１２の開口側へ突設された略円筒状をなす配線器具取付部２３が一体形成され、各配線器具取付部２３の開口側端面、即ち先端面には取付孔２３ａが形成されている。
【００１９】
また、前記取付孔２３ａは、ボックス本体１２の開口側に臨み、各配線器具取付部２３の先端部内には、取付孔２３ａから挿通される前記取付ビス１４の雄ねじが螺合可能な雌ねじが螺刻された雌ねじ部２３ｂが形成されている。左側壁１８には長孔状のビス孔（図示せず）が所定間隔をおいて３箇所に貫通形成されている。そして、図４に示すように、前記ビス孔からビス（図示せず）を建築物内に立設された柱２４に対して固定することにより、配線用ボックス１１を前記柱２４に取付可能に構成されている。さらに、その取付状態において、図５に示すように、配線用ボックス１１の開口側には壁材２５が設置され、その壁材２５の裏側に配線用ボックス１１が設置される。
【００２０】
次いで、前記ビス保持部１３について説明すると、図１及び図４に示すように、ビス保持部１３は四角板状をなす保持部本体１３ａを備えている。配線用ボックス１１の未使用時、即ち配線器具が配線用ボックス１１に取り付けられず取付ビス１４がビス保持部１３に保持されているときは、図１に２点鎖線に示すように、右側壁１９と同一面内に配置されている。一方、配線器具を配線用ボックス１１に取り付けるときは、図１に実線に示すように、保持部本体１３ａはボックス本体１２の内方へ起立され、その平面部分がボックス本体１２の開口側に臨むように右側壁１９の内面に突設される。保持部本体１３ａが右側壁１９に突設された状態において、保持部本体１３ａは右側壁１９の開口側端面より後退した位置からボックス本体１２内方へ突設されている。図５に示すように、その保持部本体１３ａの前面と右側壁１９の前端面との間には、壁材切除手段としての穿孔ビット２６のボックス本体１２の周壁の内周面に沿った移動を可能とする空間が形成されている。
【００２１】
また、図１に示すように、保持部本体１３ａの基端部中央部は、右側壁１９の長さ方向に沿って切り欠き除去され、その切り欠かれた部分により保持部本体１３ａのボックス本体１２からの折り取り補助手段が構成されている。そして、保持部本体１３ａは基端部の上下両端部の２箇所で右側壁１９に連結され、前記２箇所の連結部分を折り曲げて右側壁１９から切り離すことにより、保持部本体１３ａをボックス本体１２から除去することが可能に構成されている。
【００２２】
保持部本体１３ａには、３本の突片１３ｂが所定間隔をおいて突設され、保持部本体１３ａを右側壁１９に起立させたとき、各突片１３ｂはボックス本体１２の開口側へ突設する。そして、隣接する一対の突片１３ｂ同士の間にそれぞれ取付ビス１４が保持された状態において、各取付ビス１４は保持部本体１３ａの前面に保持され、ボックス本体１２の底壁１５より開口側に配置されている。
【００２３】
壁材切除手段は、図３に示すように、切除工具２７の回転により壁材２５を切除可能な穿孔ビット２６を備えている。その穿孔ビット２６はビット軸２６ａの回転により前記壁材２５を切除可能に形成された切除刃部２６ｂと、同切除刃部２６ｂの先端側に設けられた非切除部２６ｃとから構成されているものである。ビット軸２６ａの基端側（図３では右端側）には略円柱状をなし、前記切除工具２７の先端に取付可能なシャンク２６ｄが設けられている。上記構成の穿孔ビット２６において、シャンク２６ｄを切除工具２７の先端側にセットすることにより切除工具２７により穿孔ビット２６を回転させることができるように構成されている。
【００２４】
前記配線用ボックス１１を使用した配線器具の取付方法について記載する。
まず、ボックス本体１２の周壁の開口側端面と柱２４の前面とが面一となるように図４に示すように、配線用ボックス１１を柱２４に取付け、さらに、ケーブル２１を配線貫通孔（図示せず）を通過させてボックス本体１２内に引き込む。次いで、図５に示すように、配線用ボックス１１の前方位置に壁材２５を設置し、配線用ボックス１１を壁材２５の裏側に配置する。
【００２５】
次に、切除工具２７の穿孔ビット２６を配線用ボックス１１のガイド面２０に沿って移動させて、その穿孔ビット２６により壁材２５を切除する。このとき、保持部本体１３ａは右側壁１９の開口側端面より底壁１５側へ後退した位置からボックス本体１２内へ突設され、突片１３ｂの先端と右側壁１９の開口側端面との間には空間が形成されている。そのため、穿孔ビット２６がガイド面２０に案内されて移動するとき、穿孔ビット２６がビス保持部１３に接触することがない。そして、穿孔ビット２６の壁材２５の切除により、図６に示すように、配線用ボックス１１の開口の内周形状に沿った形状をなす透孔３１が壁材２５に穿設される。
【００２６】
続いて、前記透孔３１からボックス本体１２内へ手を挿入し、ケーブル２１を壁材２５の表側に引き出す。さらに、ビス保持部１３に保持された取付ビス１４をそれぞれ指で摘んで取り外す。このとき、ビス保持部１３、即ち取付ビス１４はボックス本体１２の開口側に配置されている。そのため、取付ビス１４が底壁１５面に沿って保持されている場合と比較して手をボックス本体１２の奥方まで挿入することなく取付ビス１４を指で摘むことが可能となる。
【００２７】
一対の取付ビス１４をそれぞれビス保持部１３から取り外した後、保持部本体１３ａを指で摘み、図６に２点鎖線に示すように、前後方向へ折り曲げる作業を繰り返してボックス本体１２から折り取る。このとき、保持部本体１３ａは基端部の上下両端部のみで右側壁１９と連結されているため、保持部本体１３ａの基端部全体が右側壁１９と連結されている場合と比較して前記折り取り作業が容易に行われる。
【００２８】
最後に、図７に示すように、ケーブル２１に配線器具３３を接続し、その配線器具３３を保持枠３２に保持させ、その保持枠３２の上下両端部に形成された挿通孔３４から雌ねじ部２３ｂに取付ビス１４を螺合して保持枠３２を介して配線器具３３を配線用ボックス１１に取付ける。このとき、ビス保持部１３はボックス本体１２内から除去されているため、配線器具３３をボックス本体１２の開口側から内部に収容するとき、配線器具３３がビス保持部１３に接触したり、ビス保持部１３により収容不可能になったりするといった不具合がなくなる。
【００２９】
さらに、配線器具３３を壁材２５の表側に臨ませた状態で配線用ボックス１１の開口を被覆する化粧プレートを壁材２５の表面に取付けると、壁材２５の表面に配線器具３３が取り付けられる。
【００３０】
前記の第１実施形態によって発揮される効果について、以下に記載する。
・  ビス保持部１３から取付ビス１４を取り外した後、ビス保持部１３を構成する保持部本体１３ａをボックス本体１２から折り取り除去可能に構成した。従って、ビス保持部１３がボックス本体１２内へ突設されたままであった従来と異なり、配線用ボックス１１に配線器具３３を収容して取り付けるとき、ビス保持部１３が配線器具３３に接触したり、収容の障害となったりするといった不具合をなくすことができ、配線用ボックス１１への配線器具３３の取付作業を容易に行うことができる。
【００３１】
・  ビス保持部１３をボックス本体１２の開口側に設けることにより、取付ビス１４をボックス本体１２の開口側に配置した。そのため、ビス保持部１３が底壁１５に突設され、取付ビス１４が底壁１５面に沿って保持されていた従来と異なり、手をボックス本体１２内奥方まで挿入することなく取付ビス１４を指で容易に摘むことができ、ビス保持部１３から容易に取り外すことができる。
【００３２】
・  保持部本体１３ａはその基端部の上下両端縁のみで右側壁１９と連結されているため、保持部本体１３ａの基端部全体が右側壁１９と連結されている場合と比較して保持部本体１３ａの折り取り作業を容易に行うことができる。従って、ビス保持部１３のボックス本体１２からの除去作業を速やかに行うことができ、配線器具３３の配線用ボックス１１への取付作業の短時間化を図ることができる。
【００３３】
・  ビス保持部１３は右側壁１９内面において、ボックス本体１２の開口側端面から底壁１５側へ後退した位置に突設されている。そのため、穿孔ビット２６がビス保持部１３と接触することなくガイド面２０に沿って移動させることができ、ボックス本体１２の開口に沿った透孔３１を確実に穿設することができる。
【００３４】
（第２実施形態）
第２実施形態では、上記第１実施形態と異なる点について主に説明する。
図８に示す第２実施形態の配線用ボックス１１のビス保持部１３について説明すると、ビス保持部１３は保持部本体１３ａを備えている。保持部本体１３ａは右側壁１９の所定部位としての中央部がその他の周壁の内面より外側へ位置するようにボックス本体１２の外方へ一定幅で右側壁１９に対して直交して延び、さらに底壁１５側へ延びるように形成されている。即ち、ビス保持部１３は周壁の外面より外側位置に形成されている。なお、保持部本体１３ａの基端部中央部には第１実施形態と同様に折り取り補助手段が構成されている。
【００３５】
保持部本体１３ａには３本の突片１３ｂが形成され、それら突片１３ｂの先端はそれぞれ右側壁１９の内面より外方へ後退した位置にあり、右側壁１９内面からボックス本体１２内へ突出していない。そして、ビス保持部１３に保持された取付ビス１４も右側壁１９内面より外側位置に配置され、右側壁１９からボックス本体１２内へ突出していない。ビス保持部１３は取付ビス１４の未使用時は右側壁１９内面より外側に配置され、取付ビス１４をビス保持部１３から取外すとき、図８に２点鎖線に示すように、保持部本体１３ａの基端部と右側壁１９との連結部分を回動中心としてボックス本体１２内方及び開口側へ回動させることにより取付ビス１４がボックス本体１２の開口側に臨むように構成されている。
【００３６】
さて、第２実施形態の配線用ボックス１１の使用方法は、まず、配線用ボックス１１を壁材２５の裏側に配置し、切除工具２７の穿孔ビット２６によりボックス本体１２の開口の内周形状に沿った透孔３１を穿設する。このとき、保持部本体１３ａは右側壁１９内面からボックス本体１２内方へ突出していないため、穿孔ビット２６がビス保持部１３に接触することなくガイド面２０に案内され、配線用ボックス１１の開口の内周形状に沿った形状をなす透孔３１が壁材２５に穿設される。
【００３７】
続いて、前記透孔３１からボックス本体１２内へ手を挿入し、保持部本体１３ａを指で摘んでボックス本体１２の内方及び開口側へ回動させて開口側へ臨ませ、そのビス保持部１３に保持された取付ビス１４をそれぞれ指で摘んで取り外す。このとき、ビス保持部１３はボックス本体１２の開口側に配置され、取付ビス１４はボックス本体１２の開口側に配置されている。そのため、取付ビス１４が底壁１５面に沿って保持されている場合と比較して手をボックス本体１２の奥方まで挿入することなく取付ビス１４を摘むことができる。
【００３８】
次に、保持部本体１３ａをボックス本体１２から折り取る。又は配線器具３３とビス保持部１３が接触しない位置、即ち右側壁１９内面より外側へ移動させて再度配置してもよい。そして、以下、第１実施形態と同様に取付ビス１４を使用して配線器具３３の配線用ボックス１１への取付作業が行われる。
【００３９】
従って、第２実施形態の配線用ボックス１１によれば、ビス保持部１３、即ち保持部本体１３ａ及び突片１３ｂは右側壁１９内面からボックス本体１２内方へ突出していない。そのため、壁材２５に透孔３１を穿設する際、穿孔ビット２６をボックス本体１２奥方まで挿入してもビス保持部１３に接触することがなく透孔３１を壁材２５に確実かつ容易に穿設することができる。
【００４０】
なお、本実施形態は、次のように変更して具体化することも可能である。
・  図９に示すビス保持部１３を備えた配線用ボックス１１としてもよい。ビス保持部１３は保持部本体１３ａを備え、その保持部本体１３ａは取付ビス１４の未使用時に右側壁１９の同一面内に配置されている。３本の突片１３ｂはそれぞれ右側壁１９の外面側、即ちボックス本体１２の外方へ突設され、ビス保持部１３に保持された取付ビス１４もボックス本体１２外面に保持されている。
【００４１】
そして、ビス保持部１３は、取付ビス１４をビス保持部１３から取り外すとき、図９に２点鎖線に示すように、保持部本体１３ａの基端部と右側壁１９との間の連結部分を回動中心としてボックス本体１２内方及び開口側へ１８０度回動させることにより突片１３ｂがボックス本体１２内方へ突設する状態に配置され、取付ビス１４がボックス本体１２内に配置されるように構成されている。
【００４２】
なお、取付ビス１４をビス保持部１３から取り外した後、保持部本体１３ａをボックス本体１２から折り取って除去してもよく、配線器具３３とビス保持部１３とが接触しない位置、即ち右側壁１９の同一面内に移動させて配置してもよい。
【００４３】
従って、壁材２５に透孔３１を穿設するとき、突片１３ｂ及び取付ビス１４は右側壁１９の外面に配置されているため、穿孔ビット２６をボックス本体１２奥方まで挿入してもビス保持部１３に接触することがなく配線用ボックス１１の開口の内周形状に沿った形状をなす透孔３１を壁材２５に確実かつ容易に穿設することができる。
【００４４】
・  図１０に示すビス保持部１３を備えた配線用ボックス１１としてもよい。ビス保持部１３は、ボックス本体１２と別部材により構成されている。図１１に示すように、ビス保持部１３を構成する保持部本体１３ａは四角板状をなし、その相対向する上下両外端面の一端部からはそれぞれ係合突起３５が外方へ突設されている。一方、右側壁１９には保持部本体１３ａが収容可能な収容孔３６が右側壁１９を貫通して形成され、その収容孔３６の相対向する上下両内側面の一端部には前記係合突起３５が係合可能な係合孔３７が形成されている。
【００４５】
そして、図１０に示すように、前記各係合突起３５がそれぞれ係合孔３７に係合されて保持部本体１３ａは右側壁１９、即ちボックス本体１２に対して回動可能に取り付けられている。取付ビス１４を保持したビス保持部１３がボックス本体１２に取り付けられた状態において、図１０に２点鎖線に示すように、保持部本体１３ａは収容孔３６内に収容されている。一方、保持部本体１３ａをボックス本体１２の開口側へ回動させることにより、各取付ビス１４をボックス本体１２の底壁１５より開口側よりに配置可能に構成されている。
【００４６】
従って、ビス保持部１３は係合突起３５と係合孔３７との係合を解除することによりボックス本体１２から除去することができる。又はビス保持部１３を右側壁１９側へ回動させることができる。そのため、配線器具３３を配線用ボックス１１に取り付けるとき、配線器具３３がビス保持部１３と接触するのが防止できる。また、ビス保持部１３を右側壁１９から折り取る場合と比較してビス保持部１３の除去作業の簡易化を図ることができ、配線器具３３の取付作業の短時間化を図ることができる。
【００４７】
・  各実施形態では、保持部本体１３ａの基端部と右側壁１９との間を同右側壁１９の長さ方向に沿って切り欠き除去して補助手段を構成したが、保持部本体１３ａの基端部と右側壁１９との間を切り欠き除去せず、補助手段を構成しなくてもよい。又は、保持部本体１３ａの基端部と右側壁１９との間を同右側壁１９の長さ方向に沿って一定又は任意の間隔をおいて複数箇所を切り欠き除去して補助手段を構成してもよい。さらに、保持部本体１３ａの基端部中央部と右側壁１９とを連結するように保持部本体１３ａの基端部をその上下両側を切り欠いて補助手段を構成してもよい。
【００４８】
・  各実施形態では右側壁１９のボックス本体１２の開口側端面より底壁１５側へ後退した位置にビス保持部１３を設けたが、右側壁１９のボックス本体１２の開口側端面の内側位置にビス保持部１３を設けてもよい。
【００４９】
・  上側壁１６，下側壁１７，右側壁１９及び左側壁１８のうちのいずれかの底壁１５側全体を外方へ後退した状態に形成し、その後退した部分に突片１３ｂを形成してビス保持部１３を形成してもよい。
【００５０】
・  第１実施形態では保持部本体１３ａを手で折り曲げてビス保持部１３をボックス本体１２から折り取り除去したが、カッターナイフ、ニッパー、鋏、ペンチ等の切断工具を使用して保持部本体１３ａをボックス本体１２から切断して除去してもよい。
【００５１】
・  各実施形態ではボックス本体１２に上下に相対向する一対の配線器具取付部２３を設け、一対の取付ビス１４をビス保持部１３に保持させたが、配線器具取付部２３を二対以上設け、配線器具取付部２３に対応する分だけ取付ビス１４を保持可能なビス保持部１３をボックス本体１２に設けてもよい。
【００５２】
・  各実施形態ではビス保持部１３を右側壁１９に形成したが、上側壁１６，下側壁１７及び左側壁１８のうちのいずれかにビス保持部１３を形成してもよい。配線用ボックス１１を金属材料により形成してもよい。
【００５３】
・  各実施形態では壁材切除手段として切除工具２７及び穿孔ビット２６を使用したが、壁材切除手段として鋸、電動鋸、糸鋸、カッターナイフ等を使用してもよい。
【００５４】
さらに、前記実施形態より把握できる技術的思想について以下に記載する。
・  前記ビス保持部の基端部と、当該ビス保持部が設けられた側壁との間にはビス保持部のボックス本体からの折り取り除去又は折り曲げ作業の簡易化を図る補助手段が設けられている請求項１〜請求項４のいずれか一項に記載の配線用ボックス。このように構成した場合、補助手段によりビス保持部を折り取ってボックス本体から除去する作業又はビス保持部と配線器具とが接触しない位置へビス保持部を移動させる作業を速やかに行うことができ、配線器具のボックス本体への取付作業を速やかに行うことができる。
【００５５】
【発明の効果】
以上詳述したように、この発明によれば、次のような効果を奏する。
請求項１に記載の発明の配線用ボックスによれば、配線器具のボックス本体の開口側から内部への収容及び取り付け作業の際の不具合をなくすことができる。
【００５６】
請求項２に記載の発明の配線用ボックスによれば、請求項１に記載の発明の効果に加えて、壁材切除手段をビス保持部と接触することなく周壁内周面に沿って移動させることができ、ボックス本体の開口の内周形状に沿った透孔を壁材に穿設することができる。
【００５７】
請求項３、４に記載の発明の配線用ボックスによれば、配線器具のボックス本体の開口側から内部への収容及び取り付け作業の際の不具合をなくすことができる。また、壁材切除手段をビス保持部と接触することなく周壁内周面に沿って移動させることができ、ボックス本体の開口の内周形状に沿った透孔を壁材に容易に穿設することができる。
【図面の簡単な説明】
【図１】  第１実施形態の配線用ボックスを示す分解斜視図。
【図２】  第１実施形態の配線用ボックスを示す図１の２−２線断面図。
【図３】  切除工具及び穿孔ビットを示す部分側面図。
【図４】  第１実施形態の配線用ボックスの柱への取付状態を示す正面図。
【図５】  壁材に透孔を穿設する状態を示す側断面図。
【図６】  配線用ボックスからビス保持部を除去した状態を示す正面図。
【図７】  取付ビスにより配線器具を取り付けた状態を示す側断面図。
【図８】  第２実施形態の配線用ボックスを示す断面図。
【図９】  別例の配線用ボックス及びビス保持部を示す断面図。
【図１０】  別例の配線用ボックス及びビス保持部を示す部分斜視図。
【図１１】  別例の配線用ボックス及びビス保持部を示す部分分解斜視図。
【符号の説明】
１１…配線用ボックス、１２…ボックス本体、１３…ビス保持部、１４…取付ビス、１５…底壁、１６〜１９…周壁を構成する側壁、２５…壁材、２６…壁材切除手段としての穿孔ビット、３１…透孔、３３…配線器具。
【図１】
0003828378.tif 000002
【図２】
0003828378.tif 000003
【図３】
0003828378.tif 000004
【図４】
0003828378.tif 000005
【図５】
0003828378.tif 000006
【図６】
0003828378.tif 000007
【図７】
0003828378.tif 000008
【図８】
0003828378.tif 000009
【図９】
0003828378.tif 000010
【図１０】
0003828378.tif 000011
【図１１】
0003828378.tif 000012